(57)【要約】【課題】本発明は脊椎用医療回復サポーターを開示した。    【解決手段】底板を含み、前記底板の中には抜き穴が上下に貫通するように設置され、前記抜き穴の中には弾性板が前後対称的に、且つスライドできるように設置され、前記弾性板の中には向き合って開口した円弧溝が上下に貫通するように設置され、前記抜き穴の前後両側内壁の中には挟み装置が設置され、両側の前記弾性板のうち対称中心から離れた一端が前記挟み装置に連結され、本発明は手動的にサポーターの支持力を調節することができ、それにサポーターの伸展程度が自動的に違った人の体型に適応でき、それにサポーターが快速的に収納されることができて持ちやすい。【選択図】図１
2020195755.tif 000002
【特許請求の範囲】
【請求項１】
正面視で、底板を含み、前記底板の中には抜き穴が上下に貫通するように設置され、前記抜き穴の中には弾性板が前後対称的に、且つスライドできるように設置され、前記弾性板の中には向き合って開口した円弧溝が上下に貫通するように設置され、
前記抜き穴の前後両側内壁の中には挟み装置が設置され、両側の前記弾性板のうち対称中心から離れた一端が前記挟み装置に連結され、前記挟み装置が前記弾性板を駆動してスライドさせることができ、これにより前記弾性板が人体をきつく挟むことができ、
前記抜き穴の左側内壁の中にはサポーター装置と支持装置とが設置され、前記サポーター装置が人の背部脊椎を支持することができ、それに前記サポーター装置が人の体型によって自動的に伸展することができ、前記支持装置を通して前記サポーター装置の支持力の大きさを調節することができ、前記サポーター装置と前記支持装置との間が回転できるように連結されていることを特徴とする脊椎用医療回復サポーター。
【請求項２】
前記サポーター装置は前記抜き穴の左側内壁の中に連通するように設置されており、且つ上方に開口したねじりチャンバーを含み、前記ねじりチャンバーの中にはサポーターが回転できるように設置され、前記サポーターの中にはねじり軸が固定的に連結され、前記ねじり軸の前後両端が前記支持装置に連結され、前記サポーターの中には右方に開口しており、且つ上方に開口した収納溝が設置され、前記収納溝の前後内壁の間には固定軸が回転できるように連結され、前記固定軸の外円周面には回転ロッドが固定的に連結され、前記回転ロッドの右端にはローラーが回転できるように連結され、前記ローラーの右端が人体背部脊椎に当接ことができることを特徴とする請求項１に記載の脊椎用医療回復サポーター。
【請求項３】
前記収納溝の左側内壁の中には凹溝が連通するように設置され、前記凹溝の中には下ヒンジ連結スライドブロックがスライドできるように設置され、前記回転ロッドの中には左方に開口したガイドスライド溝が設置され、前記ガイドスライド溝の中には上ヒンジ連結スライドブロックがスライドできるように設置され、前記下ヒンジ連結スライドブロックの上下両端と前記凹溝の上下両側の内壁との間には往復バネが固定的に連結され、前記下ヒンジ連結スライドブロックの右端には下ヒンジ連結ロッドがヒンジにより連結され、前記下ヒンジ連結ロッドの右端には上ヒンジ連結ロッドがヒンジにより連結され、前記上ヒンジ連結ロッドの右端が前記上ヒンジ連結スライドブロックにヒンジにより連結されていることを特徴とする請求項２に記載の脊椎用医療回復サポーター。
【請求項４】
前記下ヒンジ連結ロッドの中には右方に開口したヒンジ連結溝が上下に貫通するように設置され、前記ヒンジ連結溝の前側内壁にはヒンジ連結軸が回転できるように連結され、前記上ヒンジ連結ロッドの左端が前記ヒンジ連結軸に固定的に連結され、前記ヒンジ連結溝の後側内壁の中には制限溝が相互的に連通するように設置され、前記制限溝の中にはスライド回転輪がスライドできるように設置され、前記スライド回転輪が前記制限溝の中に位置する時に回転できなく、前記スライド回転輪の中には前方に開口した噛合孔が設置され、前記ヒンジ連結軸の後端が前記噛合孔の中に伸びており、且つ前記スライド回転輪と噛み合うように連結され、前記制限溝の後側内壁と前記スライド回転輪の後端との間には圧縮バネが固定的に連結され、前記スライド回転輪の後端には手動押しロッドが固定的に連結され、前記手動押しロッドの後端が前記下ヒンジ連結ロッドの外部まで伸びていることを特徴とする請求項２に記載の脊椎用医療回復サポーター。
【請求項５】
前記抜き穴の右側内壁の中には上方に開口した連通溝が連通するように設置され、前記連通溝の前後両側の内壁の中にはバネ溝が対称的に、且つ相互的に連通するように設置され、前記バネ溝の中には阻み板がスライドできるように設置され、前記阻み板のうち対称中心から離れた一端と前記バネ溝のうち対称中心から離れた側の内壁との間には伸縮バネが固定的に連結されていることを特徴とする請求項２に記載の脊椎用医療回復サポーター。
【請求項６】
前記支持装置は前記ねじりチャンバーの後側内壁の中に相互的に連通するように設置された噛合チャンバーを含み、前記噛合チャンバーの中にはラチェットギヤが回転できるように設置され、前記ねじり軸の後端が前記噛合チャンバーの中まで伸びており、且つ前記ねじり軸が前記ラチェットギヤに回転できるように連結され、前記ラチェットギヤの左側にはラチェット歯止めが噛み合うことができるように設置され、前記ラチェット歯止めが前記ラチェットギヤを片方向に回転連動させることができ、前記ラチェット歯止めの後端には連結ロッドが固定的に連結され、前記連結ロッドの後端が前記底板の外部まで伸びており、且つ前記連結ロッドの後端には手動輪が固定的に連結され、前記ラチェットギヤの前端と前記サポーターの後端との間には連結ねじりバネが固定的に連結され、前記サポーターの前端と前記ねじりチャンバーの前側内壁との間にはリセット捻りバネが固定的に連結されていることを特徴とする請求項１に記載の脊椎用医療回復サポーター。
【請求項７】
有益的に、前記噛合チャンバーの前側内壁の中にはスプライン溝が相互的に連通するように設置され、前記スプライン溝の中にはスプライン軸がスライドできるように設置されたことを特徴とする請求項６に記載の脊椎用医療回復サポーター。
【請求項８】
前記挟み装置は前記抜き穴の右側内壁の中に設置された歯車チャンバーを含み、前記歯車チャンバーの中には主動ベベルギヤが回転できるように設置され、前記主動ベベルギヤの中にはモーター軸が固定的に連結され、前記歯車チャンバーの右側内壁の中にはモーターが固定的に連結され、前記モーター軸の右端が前記モーターに動力が伝達できるように連結され、前記主動ベベルギヤの前後両端には従動ベベルギヤが対称的に、且つ噛み合うように設置され、前記従動ベベルギヤのうち対称中心から離れた一端には連結軸が固定的に連結され、
前記歯車チャンバーの前後両側内壁の中には伝動チャンバーが対称的に設置され、前記伝動チャンバーの中には主動プーリが回転できるように設置され、両側の前記連結軸のうち対称中心から離れた一端がそれぞれ両側の前記伝動チャンバーの中まで伸びており、且つ両側の前記連結軸の対称中心から離れた一端が前記主動プーリに固定的に連結され、前記主動プーリの左側には従動プーリが回転できるように設置され、前記主動プーリと前記従動プーリとの間には伝動ベルトが連結され、前記従動プーリの中には短軸が固定的に連結され、前記従動プーリのうち対称中心に近接している側には前記短軸に固定的に連結された固定歯車が回転できるように設置され、前記固定歯車の左端には転がり歯車が噛み合うように設置され、
前記固定歯車の左端には転がり歯車が噛み合うように設置され、前記転がり歯車の中には対称中心方向に開口した連結穴が設置され、前記伝動チャンバーのうち対称中心に近接している側の内壁には連通チャンバーが相互的に連通するように設置され、前記連通チャンバーのうち対称中心に近接している側の内壁が前記抜き穴と連通され、前記連通チャンバーの中にはネジ山ブロックがスライドできるように設置され、前記ネジ山ブロックのうち対称中心に近接している一端がそれぞれ両側の前記弾性板に固定的に連結され、前記ネジ山ブロックの中には対称中心から乖離した方向に開口したネジ山孔が設置され、前記ネジ山孔の中にはネジロッドがネジ山より連結され、両側の前記ネジロッドのうち対称中心から離れた一端がそれぞれ両側の前記転がり歯車に連結されることができることを特徴とする請求項１に記載の脊椎用医療回復サポーター。
【請求項９】
前記転がり歯車のうち対称中心から離れた一端にはスライドスイッチが回転できるように連結され、前記スライドスイッチのうち対称中心から離れた一端が前記底板の外部まで伸びており、前記スライドスイッチが前記モーターに通電できるように連結されていることを特徴とする請求項８に記載の脊椎用医療回復サポーター。
【発明の詳細な説明】
【技術分野】
【０００１】
本発明は医療器械分野に関し、具体的には脊椎用医療回復サポーターである。
【背景技術】
【０００２】
脊椎病患者が治療を受けた後、回復するまで一定の時間がかかり、回復期間において患者が脊椎サポーターを身につけ、脊椎への負担を減少し、回復速度を上げ、普通の脊椎サポーターは脊椎に対してただ支持作用のみを果たすことができ、違った体型の人により、サポーターの支持力が違い、果たす支持作用の効果が違い、本発明は脊椎用医療回復サポーターを開示し、上記の問題を解決でき、本発明は手動的にサポーターの支持力を調節することができ、それにサポーターの伸展程度が自動的に違った人の体型に適応でき、またサポーターが快速的に収納されることができて持ちやすい。
【先行技術文献】
【特許文献】
【０００３】
【特許文献１】中国特許出願公開第１０９７０１２３１号明細書
【発明の概要】
【発明が解決しようとする課題】
【０００４】
本発明は脊椎用医療回復サポーターを提供し、従来技術における上記欠点を解消し、設備の実用性を高めることを目的とする。
【課題を解決するための手段】
【０００５】
本発明がその技術問題を解決するために採用した技術プランは：本発明の脊椎用医療回復サポーターは、底板を含み、前記底板の中には抜き穴が上下に貫通するように設置され、前記抜き穴の中には弾性板が前後対称的に、且つスライドできるように設置され、前記弾性板の中には向き合って開口した円弧溝が上下に貫通するように設置され、人の体が前記抜き穴を通過でき、両側の前記弾性板が人の腰間に挟持されることができ、前記弾性板が弾性を持っており、快適さを上げることができ、前記抜き穴の前後両側内壁の中には挟み装置が設置され、両側の前記弾性板のうち対称中心から離れた一端が前記挟み装置に連結され、前記挟み装置が前記弾性板を駆動してスライドさせることができ、これにより前記弾性板が人体をきつく挟むことができ、前記抜き穴の左側内壁の中にはサポーター装置と支持装置とが設置され、前記サポーター装置が人の背部脊椎を支持することができ、それに前記サポーター装置が人の体型によって自動的に伸展することができ、前記支持装置を通して前記サポーター装置の支持力の大きさを調節することができ、前記サポーター装置と前記支持装置との間が回転できるように連結されている。
【０００６】
有益的に、前記サポーター装置は前記抜き穴の左側内壁の中に連通するように設置されており、且つ上方に開口したねじりチャンバーを含み、前記ねじりチャンバーの中にはサポーターが回転できるように設置され、前記サポーターの中にはねじり軸が固定的に連結され、前記ねじり軸の前後両端が前記支持装置に連結され、前記サポーターの中には右方に開口しており、且つ上方に開口した収納溝が設置され、前記収納溝の前後内壁の間には固定軸が回転できるように連結され、前記固定軸の外円周面には回転ロッドが固定的に連結され、前記回転ロッドの右端にはローラーが回転できるように連結され、前記ローラーの右端が人体背部脊椎に当接ことができ、使用の快適感を高める。
【０００７】
好ましくは、前記収納溝の左側内壁の中には凹溝が連通するように設置され、前記凹溝の中には下ヒンジ連結スライドブロックがスライドできるように設置され、前記回転ロッドの中には左方に開口したガイドスライド溝が設置され、前記ガイドスライド溝の中には上ヒンジ連結スライドブロックがスライドできるように設置され、前記下ヒンジ連結スライドブロックの上下両端と前記凹溝の上下両側の内壁との間には往復バネが固定的に連結され、前記下ヒンジ連結スライドブロックの右端には下ヒンジ連結ロッドがヒンジにより連結され、前記下ヒンジ連結ロッドの右端には上ヒンジ連結ロッドがヒンジにより連結され、前記上ヒンジ連結ロッドの右端が前記上ヒンジ連結スライドブロックにヒンジにより連結されている。
【０００８】
好ましくは、前記下ヒンジ連結ロッドの中には右方に開口したヒンジ連結溝が上下に貫通するように設置され、前記ヒンジ連結溝の前側内壁にはヒンジ連結軸が回転できるように連結され、前記上ヒンジ連結ロッドの左端が前記ヒンジ連結軸に固定的に連結され、前記ヒンジ連結溝の後側内壁の中には制限溝が相互的に連通するように設置され、前記制限溝の中にはスライド回転輪がスライドできるように設置され、前記スライド回転輪が前記制限溝の中に位置する時に回転できなく、前記スライド回転輪の中には前方に開口した噛合孔が設置され、前記ヒンジ連結軸の後端が前記噛合孔の中に伸びており、且つ前記スライド回転輪と噛み合うように連結され、前記制限溝の後側内壁と前記スライド回転輪の後端との間には圧縮バネが固定的に連結され、前記スライド回転輪の後端には手動押しロッドが固定的に連結され、前記手動押しロッドの後端が前記下ヒンジ連結ロッドの外部まで伸びている。
【０００９】
好ましくは、前記抜き穴の右側内壁の中には上方に開口した連通溝が連通するように設置され、前記連通溝の前後両側の内壁の中にはバネ溝が対称的に、且つ相互的に連通するように設置され、前記バネ溝の中には阻み板がスライドできるように設置され、前記阻み板のうち対称中心から離れた一端と前記バネ溝のうち対称中心から離れた側の内壁との間には伸縮バネが固定的に連結され、前記サポーターの右端が前記連通溝の中まで回転することができ、且つサポーターの右端が前記阻み板の下側に位置しており、その時に前記サポーターを収納し、前記阻み板が前記サポーターが自動的に広がるのを防止することができる。
【００１０】
有益的に、前記支持装置は前記ねじりチャンバーの後側内壁の中に相互的に連通するように設置された噛合チャンバーを含み、前記噛合チャンバーの中にはラチェットギヤが回転できるように設置され、前記ねじり軸の後端が前記噛合チャンバーの中まで伸びており、且つ前記ねじり軸が前記ラチェットギヤに回転できるように連結され、前記ラチェットギヤの左側にはラチェット歯止めが噛み合うことができるように設置され、前記ラチェット歯止めが前記ラチェットギヤを片方向に回転連動させることができ、前記ラチェット歯止めの後端には連結ロッドが固定的に連結され、前記連結ロッドの後端が前記底板の外部まで伸びており、且つ前記連結ロッドの後端には手動輪が固定的に連結され、前記ラチェットギヤの前端と前記サポーターの後端との間には連結ねじりバネが固定的に連結され、前記サポーターの前端と前記ねじりチャンバーの前側内壁との間にはリセット捻りバネが固定的に連結されている。
【００１１】
好ましくは、前記噛合チャンバーの前側内壁の中にはスプライン溝が相互的に連通するように設置され、前記スプライン溝の中にはスプライン軸がスライドできるように設置され、前記スプラインと前記スプライン溝との間がスプラインにより連結され、前記スプライン軸が前記スプライン溝の中に位置する時に前記スプラインが回転できない。
【００１２】
有益的に、前記挟み装置は前記抜き穴の右側内壁の中に設置された歯車チャンバーを含み、前記歯車チャンバーの中には主動ベベルギヤが回転できるように設置され、前記主動ベベルギヤの中にはモーター軸が固定的に連結され、前記歯車チャンバーの右側内壁の中にはモーターが固定的に連結され、前記モーター軸の右端が前記モーターに動力が伝達できるように連結され、前記主動ベベルギヤの前後両端には従動ベベルギヤが対称的に、且つ噛み合うように設置され、前記従動ベベルギヤのうち対称中心から離れた一端には連結軸が固定的に連結され、前記歯車チャンバーの前後両側内壁の中には伝動チャンバーが対称的に設置され、前記伝動チャンバーの中には主動プーリが回転できるように設置され、両側の前記連結軸のうち対称中心から離れた一端がそれぞれ両側の前記伝動チャンバーの中まで伸びており、且つ両側の前記連結軸の対称中心から離れた一端が前記主動プーリに固定的に連結され、前記主動プーリの左側には従動プーリが回転できるように設置され、前記主動プーリと前記従動プーリとの間には伝動ベルトが連結され、前記従動プーリの中には短軸が固定的に連結され、前記従動プーリのうち対称中心に近接している側には前記短軸に固定的に連結された固定歯車が回転できるように設置され、前記固定歯車の左端には転がり歯車が噛み合うように設置され、前記転がり歯車の中には対称中心方向に開口した連結穴が設置され、前記伝動チャンバーのうち対称中心に近接している側の内壁には連通チャンバーが相互的に連通するように設置され、前記連通チャンバーのうち対称中心に近接している側の内壁が前記抜き穴と連通され、前記連通チャンバーの中にはネジ山ブロックがスライドできるように設置され、前記ネジ山ブロックのうち対称中心に近接している一端がそれぞれ両側の前記弾性板に固定的に連結され、前記ネジ山ブロックの中には対称中心から乖離した方向に開口したネジ山孔が設置され、前記ネジ山孔の中にはネジロッドがネジ山より連結され、両側の前記ネジロッドのうち対称中心から離れた一端がそれぞれ両側の前記転がり歯車に連結されることができる。
【００１３】
好ましくは、前記転がり歯車のうち対称中心から離れた一端にはスライドスイッチが回転できるように連結され、前記スライドスイッチのうち対称中心から離れた一端が前記底板の外部まで伸びており、前記スライドスイッチが前記モーターに通電できるように連結されている。
【発明の効果】
【００１４】
本発明の有益効果は：本発明は手動的にサポーターの支持力を調節することができ、それにサポーターの伸展程度が自動的に違った人の体型に適応でき、それにサポーターが快速的に収納されることができて持ちやすい。
【図面の簡単な説明】
【００１５】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の脊椎用医療回復サポーターの全体構成模式図
【図２】図２は図１のＡ―Ａ方向の構成模式図
【図３】図３は図１のＢ―Ｂ方向の構成模式図
【図４】図４は図１のＣの拡大構成模式図
【図５】図５は図１のＤの拡大構成模式図
【図６】図６は図２のＥの拡大構成模式図
【図７】図７は図４のＦ―Ｆ方向の構成模式図
【図８】図８は図７のＧ―Ｇ方向の構成模式図
【発明を実施するための形態】
【００１７】
図１〜８を参照し、本発明の脊椎用医療回復サポーターは、底板１１を含み、前記底板１１の中には抜き穴２６が上下に貫通するように設置され、前記抜き穴２６の中には弾性板２８が前後対称的に、且つスライドできるように設置され、前記弾性板２８の中には向き合って開口した円弧溝２７が上下に貫通するように設置され、人の体が前記抜き穴２６を通過でき、両側の前記弾性板２８が人の腰間に挟持されることができ、前記弾性板２８が弾性を持っており、快適さを上げることができ、前記抜き穴２６の前後両側内壁の中には挟み装置１０１が設置され、両側の前記弾性板２８のうち対称中心から離れた一端が前記挟み装置１０１に連結され、前記挟み装置１０１が前記弾性板２８を駆動してスライドさせることができ、これにより前記弾性板２８が人体をきつく挟むことができ、前記抜き穴２６の左側内壁の中にはサポーター装置１００と支持装置１０２とが設置され、前記サポーター装置１００が人の背部脊椎を支持することができ、それに前記サポーター装置１００が人の体型によって自動的に伸展することができ、前記支持装置１０２を通して前記サポーター装置１００の支持力の大きさを調節することができ、前記サポーター装置１００と前記支持装置１０２との間が回転できるように連結されている。
【００１８】
実施例により、下記に前記サポーター装置１００を詳しく説明し、前記サポーター装置１００は前記抜き穴２６の左側内壁の中に連通するように設置されており、且つ上方に開口したねじりチャンバー３０を含み、前記ねじりチャンバー３０の中にはサポーター１２が回転できるように設置され、前記サポーター１２の中にはねじり軸２９が固定的に連結され、前記ねじり軸２９の前後両端が前記支持装置１０２に連結され、前記サポーター１２の中には右方に開口しており、且つ上方に開口した収納溝１４が設置され、前記収納溝１４の前後内壁の間には固定軸１５が回転できるように連結され、前記固定軸１５の外円周面には回転ロッド１７が固定的に連結され、前記回転ロッド１７の右端にはローラー５２が回転できるように連結され、前記ローラー５２の右端が人体背部脊椎に当接ことができ、使用の快適感を高める。
【００１９】
有益的に、前記収納溝１４の左側内壁の中には凹溝１３が連通するように設置され、前記凹溝１３の中には下ヒンジ連結スライドブロック４６がスライドできるように設置され、前記回転ロッド１７の中には左方に開口したガイドスライド溝１６が設置され、前記ガイドスライド溝１６の中には上ヒンジ連結スライドブロック５１がスライドできるように設置され、前記下ヒンジ連結スライドブロック４６の上下両端と前記凹溝１３の上下両側の内壁との間には往復バネ４５が固定的に連結され、前記下ヒンジ連結スライドブロック４６の右端には下ヒンジ連結ロッド４７がヒンジにより連結され、前記下ヒンジ連結ロッド４７の右端には上ヒンジ連結ロッド４９がヒンジにより連結され、前記上ヒンジ連結ロッド４９の右端が前記上ヒンジ連結スライドブロック５１にヒンジにより連結されている。
【００２０】
有益的に、前記下ヒンジ連結ロッド４７の中には右方に開口したヒンジ連結溝４８が上下に貫通するように設置され、前記ヒンジ連結溝４８の前側内壁にはヒンジ連結軸５０が回転できるように連結され、前記上ヒンジ連結ロッド４９の左端が前記ヒンジ連結軸５０に固定的に連結され、前記ヒンジ連結溝４８の後側内壁の中には制限溝６５が相互的に連通するように設置され、前記制限溝６５の中にはスライド回転輪６３がスライドできるように設置され、前記スライド回転輪６３が前記制限溝６５の中に位置する時に回転できなく、前記スライド回転輪６３の中には前方に開口した噛合孔６４が設置され、前記ヒンジ連結軸５０の後端が前記噛合孔６４の中に伸びており、且つ前記スライド回転輪６３と噛み合うように連結され、前記制限溝６５の後側内壁と前記スライド回転輪６３の後端との間には圧縮バネ６６が固定的に連結され、前記スライド回転輪６３の後端には手動押しロッド６７が固定的に連結され、前記手動押しロッド６７の後端が前記下ヒンジ連結ロッド４７の外部まで伸びている。
【００２１】
有益的に、前記抜き穴２６の右側内壁の中には上方に開口した連通溝２５が連通するように設置され、前記連通溝２５の前後両側の内壁の中にはバネ溝４３が対称的に、且つ相互的に連通するように設置され、前記バネ溝４３の中には阻み板１８がスライドできるように設置され、前記阻み板１８のうち対称中心から離れた一端と前記バネ溝４３のうち対称中心から離れた側の内壁との間には伸縮バネ４４が固定的に連結され、前記サポーター１２の右端が前記連通溝２５の中まで回転することができ、且つサポーター１２の右端が前記阻み板１８の下側に位置しており、その時に前記サポーター１２を収納し、前記阻み板１８が前記サポーター１２が自動的に広がるのを防止することができる。
【００２２】
実施例により、以下に前記支持装置１０２について詳しく説明し、前記支持装置１０２は前記ねじりチャンバー３０の後側内壁の中に相互的に連通するように設置された噛合チャンバー４２を含み、前記噛合チャンバー４２の中にはラチェットギヤ４１が回転できるように設置され、前記ねじり軸２９の後端が前記噛合チャンバー４２の中まで伸びており、且つ前記ねじり軸２９が前記ラチェットギヤ４１に回転できるように連結され、前記ラチェットギヤ４１の左側にはラチェット歯止め３８が噛み合うことができるように設置され、前記ラチェット歯止め３８が前記ラチェットギヤ４１を片方向に回転連動させることができ、前記ラチェット歯止め３８の後端には連結ロッド３９が固定的に連結され、前記連結ロッド３９の後端が前記底板１１の外部まで伸びており、且つ前記連結ロッド３９の後端には手動輪４０が固定的に連結され、前記ラチェットギヤ４１の前端と前記サポーター１２の後端との間には連結ねじりバネ３５が固定的に連結され、前記サポーター１２の前端と前記ねじりチャンバー３０の前側内壁との間にはリセット捻りバネ３４が固定的に連結されている。
【００２３】
有益的に、前記噛合チャンバー４２の前側内壁の中にはスプライン溝３６が相互的に連通するように設置され、前記スプライン溝３６の中にはスプライン軸３７がスライドできるように設置され、前記スプライン３７と前記スプライン溝３６との間がスプラインにより連結され、前記スプライン軸３７が前記スプライン溝３６の中に位置する時に前記スプライン３７が回転できない。
【００２４】
実施例により、以下に前記挟み装置１０１について詳しく説明し、前記挟み装置１０１は前記抜き穴２６の右側内壁の中に設置された歯車チャンバー１９を含み、前記歯車チャンバー１９の中には主動ベベルギヤ２１が回転できるように設置され、前記主動ベベルギヤ２１の中にはモーター軸２４が固定的に連結され、前記歯車チャンバー１９の右側内壁の中にはモーター２２が固定的に連結され、前記モーター軸２４の右端が前記モーター２２に動力が伝達できるように連結され、前記主動ベベルギヤ２１の前後両端には従動ベベルギヤ２０が対称的に、且つ噛み合うように設置され、前記従動ベベルギヤ２０のうち対称中心から離れた一端には連結軸２３が固定的に連結され、前記歯車チャンバー１９の前後両側内壁の中には伝動チャンバー３２が対称的に設置され、前記伝動チャンバー３２の中には主動プーリ３１が回転できるように設置され、両側の前記連結軸２３のうち対称中心から離れた一端がそれぞれ両側の前記伝動チャンバー３２の中まで伸びており、且つ両側の前記連結軸２３の対称中心から離れた一端が前記主動プーリ３１に固定的に連結され、前記主動プーリ３１の左側には従動プーリ５７が回転できるように設置され、前記主動プーリ３１と前記従動プーリ５７との間には伝動ベルト３３が連結され、前記従動プーリ５７の中には短軸５６が固定的に連結され、前記従動プーリ５７のうち対称中心に近接している側には前記短軸５６に固定的に連結された固定歯車５９が回転できるように設置され、前記固定歯車５９の左端には転がり歯車５３が噛み合うように設置され、前記転がり歯車５３の中には対称中心方向に開口した連結穴５５が設置され、前記伝動チャンバー３２のうち対称中心に近接している側の内壁には連通チャンバー６２が相互的に連通するように設置され、前記連通チャンバー６２のうち対称中心に近接している側の内壁が前記抜き穴２６と連通され、前記連通チャンバー６２の中にはネジ山ブロック６１がスライドできるように設置され、前記ネジ山ブロック６１のうち対称中心に近接している一端がそれぞれ両側の前記弾性板２８に固定的に連結され、前記ネジ山ブロック６１の中には対称中心から乖離した方向に開口したネジ山孔６０が設置され、前記ネジ山孔６０の中にはネジロッド５８がネジ山より連結され、両側の前記ネジロッド５８のうち対称中心から離れた一端がそれぞれ両側の前記転がり歯車５３に連結されることができる。
【００２５】
有益的に、前記転がり歯車５３のうち対称中心から離れた一端にはスライドスイッチ５４が回転できるように連結され、前記スライドスイッチ５４のうち対称中心から離れた一端が前記底板１１の外部まで伸びており、前記スライドスイッチ５４が前記モーター２２に通電できるように連結されている。
【００２６】
以下に図１〜８を交えて本発明の使用ステップについて詳しく説明する：
【００２７】
初期状態の時、サポーター１２が連通溝２５の中に位置しており、且つサポーター１２が阻み板１８の下端に当接しており、その時に阻み板１８がサポーター１２が自動的に広がることを防止でき、その時に回転ロッド１７が収納溝１４の中に収納され、その時に下ヒンジ連結ロッド４７と上ヒンジ連結ロッド４９とが凹溝１３の中に収納され、その時にスライド回転輪６３が完全にヒンジ連結溝４８の中に位置しており、且つスライド回転輪６３がヒンジ連結軸５０と連結され、その時に圧縮バネ６６が伸長状態にあり、その時にラチェット歯止め３８とラチェットギヤ４１とが噛み合わなくなり、その時にスプライン軸３７がスプライン溝３６の中に位置しており、その時に転がり歯車５３が固定歯車５９と噛み合わなくなり、その時に転がり歯車５３がネジロッド５８と連結されなくなる。
【００２８】
使用する時、阻み板１８を押してスライドさせ、その時に手動的にサポーター１２を持ち上げ、サポーター１２をねじり軸２９をめぐって鉛直になるまで回転させ、サポーター１２の回転過程において、リセット捻りバネ３４をねじり、その時に回転ロッド１７を回転させることができ、更に下ヒンジ連結ロッド４７と上ヒンジ連結ロッド４９とを回転させ、それによりヒンジ連結軸５０を通してスライド回転輪６３を下ヒンジ連結ロッド４７と上ヒンジ連結ロッド４９が同じ直線に位置するまで回転連動させ、その時にスライド回転輪６３が制限溝６５に正対し、圧縮バネ６６の弾力作用のもとで、スライド回転輪６３を制限溝６５の中までスライド連動させ、スライド回転輪６３とヒンジ連結軸５０とが終始噛み合っている状態にあり、その時にスライド回転輪６３が回転することができなく、更にこれによりヒンジ連結軸５０と上ヒンジ連結ロッド４９とが回転できなくなり、その時に人の体が抜き穴２６を通過し、ローラー５２を背部脊椎に当接させ、回転ロッド１７が人の体型によって自動的に回転することができ、下ヒンジ連結スライドブロック４６と上ヒンジ連結スライドブロック５１とが下ヒンジ連結ロッド４７と上ヒンジ連結ロッド４９とをスライド連動させることができ、同時に往復バネ４５の弾力作用のもとでローラー５２を終始背部脊椎に当接させ、リセット捻りバネ３４の弾力がローラー５２を人体背部脊椎に押させることができ、同時に弾性板２８を腰間に挟み、その時にスライドスイッチ５４を手動的に押し動かすことができ、更に転がり歯車５３をスライドさせ、且つ固定歯車５９と噛み合わせ、同時に転がり歯車５３が連結穴５５を通してネジロッド５８に連結され、同時にモーター２２を始動させ、更にモーター軸２４を通して主動ベベルギヤ２１を回転連動させ、更に従動ベベルギヤ２０を回転連動させ、更に連結軸２３を回転連動させ、更に主動プーリ３１を回転連動させ、更に伝動ベルト３３を通して従動プーリ５７を回転連動させ、更に短軸５６を通して固定歯車５９を回転連動させ、更に転がり歯車５３を回転連動させ、更にネジロッド５８を回転連動させ、更にネジ山ブロック６１をスライド連動させ、更に弾性板２８をスライド連動させ、且つ人体腰部をきつく挟ませ、弾性板２８が腰部をきつく挟んだ後スライドスイッチ５４を引き出し、更にモーター２２を停止し、同時に転がり歯車５３と固定歯車５９とネジロッド５８が連結から離脱し、その時に手動輪４０を引き動かし、更に連結ロッド３９を通してラチェット歯止め３８をスライド連動させ、且つラチェットギヤ４１と連結させ、その時にスプライン軸３７がスプライン溝３６から離脱し、その時に手動輪４０を回転させ、更に連結ロッド３９を通してラチェット歯止め３８を回転連動させ、更にラチェットギヤ４１を回転連動させ、更に連結ねじりバネ３５をねじり、更にローラー５２と人体背部脊椎との間の押し力を増大し、手動輪４０を推し動かし、更にスプライン軸３７を連動させてスライドさせてスプライン溝３６の中に入らせ、その時にスライド軸３７が回転することができなく、ラチェット歯止め３８とラチェットギヤ４１との間が片方向に噛み合っている状態にあるため、連結ねじりバネ３５の弾力作用のもとで、ラチェットギヤ４１が回転しない。
【００２９】
本発明の有益効果は：本発明は手動的にサポーターの支持力を調節することができ、それにサポーターの伸展程度が自動的に違った人の体型に適応でき、それにサポーターが快速的に収納されることができて持ちやすい。
【００３０】
以上の方式により、本分野の技術者が本発明の範囲内に作動モードにより各種な変化をすることができる。
【図１】
2020195755.tif 000003
【図２】
2020195755.tif 000004
【図３】
2020195755.tif 000005
【図４】
2020195755.tif 000006
【図５】
2020195755.tif 000007
【図６】
2020195755.tif 000008
【図７】
2020195755.tif 000009
【図８】
2020195755.tif 000010
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面視で右下側にモーターを有する脊椎用医療回復サポーターであって、底板を含み、前記底板の中には抜き穴が上下に貫通するように設置され、前記抜き穴の中には弾性板が前後対称的に、且つスライドできるように設置され、前記弾性板の中には向き合って開口した円弧溝が上下に貫通するように設置され、 
前記抜き穴の前後両側内壁の中には挟み装置が設置され、両側の前記弾性板のうち対称中心から離れた一端が前記挟み装置に連結され、前記挟み装置が前記弾性板を駆動してスライドさせることができ、これにより前記弾性板が人体をきつく挟むことができ、 
前記抜き穴の左側内壁の中にはサポーター装置と支持装置とが設置され、前記サポーター装置が人の背部脊椎を支持することができ、それに前記サポーター装置が人の体型によって自動的に伸展することができ、前記支持装置を通して前記サポーター装置の支持力の大きさを調節することができ、前記サポーター装置と前記支持装置との間が回転できるように連結されていることを特徴とする脊椎用医療回復サポーター。 
【請求項２】
前記サポーター装置は前記抜き穴の左側内壁の中に連通するように設置されており、且つ上方に開口したねじりチャンバーを含み、前記ねじりチャンバーの中にはサポーターが回転できるように設置され、前記サポーターの中にはねじり軸が固定的に連結され、前記ねじり軸の前後両端が前記支持装置に連結され、前記サポーターの中には右方に開口しており、且つ上方に開口した収納溝が設置され、前記収納溝の前後内壁の間には固定軸が回転できるように連結され、前記固定軸の外円周面には回転ロッドが固定的に連結され、前記回転ロッドの右端にはローラーが回転できるように連結され、前記ローラーの右端が人体背部脊椎に当接ことができることを特徴とする請求項１に記載の脊椎用医療回復サポーター。
【請求項３】
前記収納溝の左側内壁の中には凹溝が連通するように設置され、前記凹溝の中には下ヒンジ連結スライドブロックがスライドできるように設置され、前記回転ロッドの中には左方に開口したガイドスライド溝が設置され、前記ガイドスライド溝の中には上ヒンジ連結スライドブロックがスライドできるように設置され、前記下ヒンジ連結スライドブロックの上下両端と前記凹溝の上下両側の内壁との間には往復バネが固定的に連結され、前記下ヒンジ連結スライドブロックの右端には下ヒンジ連結ロッドがヒンジにより連結され、前記下ヒンジ連結ロッドの右端には上ヒンジ連結ロッドがヒンジにより連結され、前記上ヒンジ連結ロッドの右端が前記上ヒンジ連結スライドブロックにヒンジにより連結されていることを特徴とする請求項２に記載の脊椎用医療回復サポーター。 
【請求項４】
前記下ヒンジ連結ロッドの中には右方に開口したヒンジ連結溝が上下に貫通するように設置され、前記ヒンジ連結溝の前側内壁にはヒンジ連結軸が回転できるように連結され、前記上ヒンジ連結ロッドの左端が前記ヒンジ連結軸に固定的に連結され、前記ヒンジ連結溝の後側内壁の中には制限溝が相互的に連通するように設置され、前記制限溝の中にはスライド回転輪がスライドできるように設置され、前記スライド回転輪が前記制限溝の中に位置する時に回転できなく、前記スライド回転輪の中には前方に開口した噛合孔が設置され、前記ヒンジ連結軸の後端が前記噛合孔の中に伸びており、且つ前記スライド回転輪と噛み合うように連結され、前記制限溝の後側内壁と前記スライド回転輪の後端との間には圧縮バネが固定的に連結され、前記スライド回転輪の後端には手動押しロッドが固定的に連結され、前記手動押しロッドの後端が前記下ヒンジ連結ロッドの外部まで伸びていることを特徴とする請求項３に記載の脊椎用医療回復サポーター。 
【請求項５】
前記抜き穴の右側内壁の中には上方に開口した連通溝が連通するように設置され、前記連通溝の前後両側の内壁の中にはバネ溝が対称的に、且つ相互的に連通するように設置され、前記バネ溝の中には阻み板がスライドできるように設置され、前記阻み板のうち対称中心から離れた一端と前記バネ溝のうち対称中心から離れた側の内壁との間には伸縮バネが固定的に連結されていることを特徴とする請求項２に記載の脊椎用医療回復サポーター。 
【請求項６】
前記支持装置は前記ねじりチャンバーの後側内壁の中に相互的に連通するように設置された噛合チャンバーを含み、前記噛合チャンバーの中にはラチェットギヤが回転できるように設置され、前記ねじり軸の後端が前記噛合チャンバーの中まで伸びており、且つ前記ねじり軸が前記ラチェットギヤに回転できるように連結され、前記ラチェットギヤの左側にはラチェット歯止めが噛み合うことができるように設置され、前記ラチェット歯止めが前記ラチェットギヤを片方向に回転連動させることができ、前記ラチェット歯止めの後端には連結ロッドが固定的に連結され、前記連結ロッドの後端が前記底板の外部まで伸びており、且つ前記連結ロッドの後端には手動輪が固定的に連結され、前記ラチェットギヤの前端と前記サポーターの後端との間には連結ねじりバネが固定的に連結され、前記サポーターの前端と前記ねじりチャンバーの前側内壁との間にはリセット捻りバネが固定的に連結されていることを特徴とする請求項２に記載の脊椎用医療回復サポーター。 
【請求項７】
有益的に、前記噛合チャンバーの前側内壁の中にはスプライン溝が相互的に連通するように設置され、前記スプライン溝の中にはスプライン軸がスライドできるように設置されたことを特徴とする請求項６に記載の脊椎用医療回復サポーター。 
【請求項８】
前記挟み装置は前記抜き穴の右側内壁の中に設置された歯車チャンバーを含み、前記歯車チャンバーの中には主動ベベルギヤが回転できるように設置され、前記主動ベベルギヤの中にはモーター軸が固定的に連結され、前記歯車チャンバーの右側内壁の中にはモーターが固定的に連結され、前記モーター軸の右端が前記モーターに動力が伝達できるように連結され、前記主動ベベルギヤの前後両端には従動ベベルギヤが対称的に、且つ噛み合うように設置され、前記従動ベベルギヤのうち対称中心から離れた一端には連結軸が固定的に連結され、 
前記歯車チャンバーの前後両側内壁の中には伝動チャンバーが対称的に設置され、前記伝動チャンバーの中には主動プーリが回転できるように設置され、両側の前記連結軸のうち対称中心から離れた一端がそれぞれ両側の前記伝動チャンバーの中まで伸びており、且つ両側の前記連結軸の対称中心から離れた一端が前記主動プーリに固定的に連結され、前記主動プーリの左側には従動プーリが回転できるように設置され、前記主動プーリと前記従動プーリとの間には伝動ベルトが連結され、前記従動プーリの中には短軸が固定的に連結され、前記従動プーリのうち対称中心に近接している側には前記短軸に固定的に連結された固定歯車が回転できるように設置され、前記固定歯車の左端には転がり歯車が噛み合うように設置され、 
前記固定歯車の左端には転がり歯車が噛み合うように設置され、前記転がり歯車の中には対称中心方向に開口した連結穴が設置され、前記伝動チャンバーのうち対称中心に近接している側の内壁には連通チャンバーが相互的に連通するように設置され、前記連通チャンバーのうち対称中心に近接している側の内壁が前記抜き穴と連通され、前記連通チャンバーの中にはネジ山ブロックがスライドできるように設置され、前記ネジ山ブロックのうち対称中心に近接している一端がそれぞれ両側の前記弾性板に固定的に連結され、前記ネジ山ブロックの中には対称中心から乖離した方向に開口したネジ山孔が設置され、前記ネジ山孔の中にはネジロッドがネジ山より連結され、両側の前記ネジロッドのうち対称中心から離れた一端がそれぞれ両側の前記転がり歯車に連結されることができることを特徴とする請求項１に記載の脊椎用医療回復サポーター。 
【請求項９】
前記転がり歯車のうち対称中心から離れた一端にはスライドスイッチが回転できるように連結され、前記スライドスイッチのうち対称中心から離れた一端が前記底板の外部まで伸びており、前記スライドスイッチが前記モーターに通電できるように連結されていることを特徴とする請求項８に記載の脊椎用医療回復サポーター。